(57)【要約】【課題】  包装袋などに収容された米などを正確に計量して必要量だけ取り出すことができる計量枡を提供する。【解決手段】正面板２、右側面板３、背面板４、左側面板５が順に連設され、また、正面板２および背面板４の各下端縁に折り目を介して連設された底面板および左右の側面板の各下端縁に折り目を介して連設された底フラップのうち、隣接する底面板と底フラップが糊代を介して貼着され、これらの一体に貼着された一対の底面板および底フラップによって底面を形成する。そして、計量枡１に底面板１０を配置して米などを計量する。【選択図】  図１
2007064833.tif 000002
【特許請求の範囲】
【請求項１】
正面板、左右一方の側面板、背面板、左右他方の側面板および糊代が順に折り目を介して連設され、正面板および背面板または左右の側面板の一方の各下端縁にそれぞれ底面板が折り目を介して連設される一方、他方の各下端縁にそれぞれ底フラップが折り目を介して連設され、また、各底面板には、隣接する底フラップと貼着可能な糊代がそれぞれ折り目を介して連設されるとともに、背面板、左右の側面板および正面板によって区画される開口部の中心に互いに係合可能な係合部が形成されてなり、各底面板および各底フラップが正面板、左右の側面板および背面板の裏面側に折り込まれるとともに、正面板、左右の側面板および背面板の隣接する一対の面板同士が表裏に対向して折り込まれて、底面板の糊代と隣接する底フラップがそれぞれ貼着される一方、正面板、左右の側面板および背面板のいずれかの面板が糊代と貼着されることを特徴とする計量枡。
【請求項２】
前記正面板、左右の側面板および背面板によって区画される開口部に相当する大きさの底板が付設されていることを特徴とする請求項１記載の計量枡。
【請求項３】
前記正面板と底面板との折り目、背面板と底面板との折り目、左右の側面板と各底フラップとの折り目のうち、少なくとも対向する一対の折り目が略中間部を除いて形成されるとともに、各折り目の端縁部と連続するように、偏平な略逆Ｕ字状の切れ目が対向する一対の面板側に形成され、また、前記底板の少なくとも対向する２辺の略中間部に、偏平な略逆Ｕ字状の切れ目による開口部に嵌入可能な突出部が形成されていることを特徴とする請求項２記載の計量枡。
【請求項４】
請求項１乃至３のいずれかに記載の計量枡が、計量された設定量の米などとともにプラスチックフィルム製の包装袋内に収容されていることを特徴とする袋詰め商品。
【発明の詳細な説明】
【技術分野】
【０００１】
この発明は、米などを計量する計量枡および袋詰めされた米などとともに計量枡を収容した袋詰め商品に関するものである。
【背景技術】
【０００２】
一般に、米は、１０ｋｇ単位や５ｋｇ単位で袋詰めされて販売されており、消費者は、袋詰めされた米を購入して米びつに移し替えた後、炊飯の都度、米びつに付設された計量機能を利用して必要量だけ取り出して炊飯するようにしている。
【０００３】
ところで、米の消費量は、年々減少傾向にあり、例えば、２０００年度は、１人１年あたり約６４．６ｋｇとなって、ピーク時の昭和３７年の１１８．３ｋｇに比べて約１／２となっている。また、１世帯あたりの米購入数量も２００１年度は、９７．３３ｋｇと初めて１００ｋｇを割る結果となっている（以上、食糧庁「米麦データブック」２００２年版より抜粋）。
【０００４】
このため、米の購入単位が小量化する傾向にあり、特に、１人暮らし世帯の増加により、近年、３ｋｇ詰めや２ｋｇ詰めの米がスーパーやコンビニエンスストアなどにおいて販売されるようになってきている。
【０００５】
このような小量の米を保管する場合、米びつに移し替ることなく袋詰めされたまま保管するのが一般的である。また、１人暮らし世帯の場合には、米びつがない場合も多く、必然的に袋詰めされた状態で保管することになる。
【発明の開示】
【発明が解決しようとする課題】
【０００６】
一方、炊飯器の釜には、１合単位毎に目盛が付されており、設定量の米を投入し、その設定量に対応する目盛に水加減を合わせることにより、米を美味しく炊けるように設計されている。このため、通常、米びつの計量機能を利用して必要量の米を取り出すようにしているが、１人暮らし世帯などにおいて、米びつ、具体的には、計量枡がない場合、袋詰めされた状態で保管されている米を必要量だけ計量して取り出すことはできない。この結果、米を目分量で炊飯せざるを得ず、米をおいしく炊くことができないという問題があった。
【０００７】
本発明は、このような問題点に鑑みてなされたもので、包装袋などに収容された米などを正確に計量して必要量だけ取り出すことができる計量枡を提供するものである。また、米などとともに収容された計量枡を利用して袋詰めされた米などを正確に計量して必要量だけ取り出すことができる袋詰め商品を提供するものである。
【課題を解決するための手段】
【０００８】
本発明の計量枡は、正面板、左右一方の側面板、背面板、左右他方の側面板および糊代が順に折り目を介して連設され、正面板および背面板または左右の側面板の一方の各下端縁にそれぞれ底面板が折り目を介して連設される一方、他方の各下端縁にそれぞれ底フラップが折り目を介して連設され、また、各底面板には、隣接する底フラップと貼着可能な糊代がそれぞれ折り目を介して連設されるとともに、背面板、左右の側面板および正面板によって区画される開口部の中心に互いに係合可能な係合部が形成されてなり、各底面板および各底フラップが正面板、左右の側面板および背面板の裏面側に折り込まれるとともに、正面板、左右の側面板および背面板の隣接する一対の面板同士が表裏に対向して折り込まれて、底面板の糊代と隣接する底フラップがそれぞれ貼着される一方、正面板、左右の側面板および背面板のいずれかの面板が糊代と貼着されることを特徴とするものである。
【０００９】
本発明によれば、計量枡は、偏平に組み立てられているため、その立体に相当する収納スペースを確保する必要がなく、包装袋などに場所をとることなく収容することが可能となる。一方、偏平状の計量枡を立体状に形成する場合は、偏平状の計量枡を把握し、その左右端縁間の間隔が縮まるように押圧すれば、表裏に対向して折り込まれていた正面板、左右の側面板および背面板が隣接する面板に対して折り目に沿って立ち上げられる。このとき、糊代を介して一体に貼着された一対の底面板および底フラップは、互いに底面板が相手側の底フラップの上に重なって卍状に組み合わされるとともに、底面板同士が各底面板に形成された係合部において係合し、計量枡の底面を形成する。したがって、正面板、左右の側面板、背面板、一対の底面板および底フラップによって立体状の計量枡を形成することができるとともに、その状態を保持することができる。
【００１０】
この結果、計量枡を利用して包装袋などに収容された米などを計量して必要量だけ取り出すことができる。
【００１１】
この場合、計量枡の単位体積としては、１合が好ましい。
【００１２】
本発明において、前記正面板、左右の側面板および背面板によって区画される開口部に相当する大きさの底板が付設されていると、一体に貼着された一対の底面板および底フラップとの重なり部分から米などの漏出を防止することができるため、好ましい。
【００１３】
本発明において、前記正面板と底面板との折り目、背面板と底面板との折り目、左右の側面板と各底フラップとの折り目のうち、少なくとも対向する一対の折り目が略中間部を除いて形成されるとともに、各折り目の端縁部と連続するように、偏平な略逆Ｕ字状の切れ目が対向する一対の面板側に形成され、また、前記底板の少なくとも対向する２辺の略中間部に、偏平な略逆Ｕ字状の切れ目による開口部に嵌入可能な突出部が形成されていると、底板の浮き上がりおよび脱落を防止して計量枡に底板を取り付けることができ、米などをより正確に計量することができる。
【００１４】
本発明の袋詰め商品は、請求項１乃至３のいずれかに記載の計量枡が、計量された設定量の米などとともにプラスチックフィルム製の包装袋内に収容されていることを特徴とするものである。
【００１５】
本発明によれば、袋詰めされた米などとともに偏平に組み立てられた計量枡が収容されているために、計量枡を取り出して立体状に形成することにより、包装袋内に充填された米などを正確に計量して必要量だけ取り出すことができる。
【発明の効果】
【００１６】
本発明の計量枡によれば、包装袋などに収容された米などを正確に計量して必要量だけ取り出すことができる。
【００１７】
また、本発明の袋詰め商品によれば、米などとともに収容された計量枡を利用して袋詰めされた米などを正確に計量して必要量だけ取り出すことができる。
【発明を実施するための最良の形態】
【００１８】
以下、本発明の実施の形態を図面に基づいて説明する。
【００１９】
図１および図２には、本発明の計量枡１の一実施形態が示されている。
【００２０】
この計量枡１は、図２の展開図に示すように、正面板２の右端縁に、右側面板３、背面板４、左側面板５が順に折り目ａ，ｂ，ｃを介して連設されるとともに、その左端縁に糊代６が折り目ｄを介して連設される一方、正面板２の下端縁および背面板４の下端縁にそれぞれ底面板７，７が折り目ｅ，ｅを介して連設され、左右の側面板３，５の下端縁にそれぞれ底フラップ８，８が折り目ｆ，ｆを介して連設され、また、各底面板７に、隣接する底フラップ８と貼着可能な糊代９，９がそれぞれ折り目ｇ，ｇを介して連設されて構成されている。
【００２１】
そして、各底面板７は、折り目ｅと折り目ａとの交点および折り目ｅと折り目ｃとの交点から折り目ｅに対して反時計回り方向に４５度の角度をおいて延びる脚を有するとともに、計量枡１の奥行き（折り目ａ，ｂ間の間隔）の約３／４程度の高さの略台形状に形成されており、各底面板７に連設された糊代９は、前述した一方の脚を折り目ｇとしている。
【００２２】
なお、各糊代９の折り目ｇに沿う長さとしては、その先端が計量枡１の奥行きの中間に位置するように設定されている。すなわち、折り目ｇと、折り目ｅから折り目ａ，ｂ間の間隔の１／２の高さ位置を通って該折り目ｅと平行な線との交点ｘが終点に設定されている。
【００２３】
ここで、計量枡１を形成する正面板２、左右の側面板３，５、背面板４および底面板７によって区画される容積は、１合（１８０ｃｃ）に相当するように、縦６０ｍｍ×横６０ｍｍ×高さ５０ｍｍに設定されており、前述した底面板７と糊代９とによって折り目ｇに形成された交点ｘは、計量枡１の底面の中心に位置しており、後述するように、互いに底面板７，７の係合部に設定されている。
【００２４】
なお、糊代９の形状および大きさは、隣接する底フラップ８にはみ出さないように貼着されることに対応して、底フラップ８の大きさおよび形状に合わせて設定されている。
【００２５】
また、正面板２と底面板７との折り目ｅ、右側面板３と底フラップ８との折り目ｆ、背面板４と底面板７との折り目ｅ、左側面板５と底フラップ８との折り目ｆは、ほぼ中間部の一定長さを残して形成されており、これらの折り目の端縁部を結んで偏平な略逆Ｕ字状の切れ目ｈがそれぞれ正面板２、右側面板３、背面板４、左側面板５側に位置して形成されている。
【００２６】
一方、計量枡１には、底板１０（図１参照）が付設されている。この底板１０は、前述した正面板２、左右の側面板３，５、背面板４によって区画された正方形に対応して一辺が６０ｍｍの正方形に形成され、かつ、各辺には、その中間部に位置して設定長さにわたって外方に向かって突出する突出部１０１が形成されている。この底板１０の各突出部１０１は、正面板２、右側面板３、背面板４、左側面板５に形成された偏平な略逆Ｕ字状の切れ目ｈによって形成される開口部に嵌入可能となっている。
【００２７】
次に、このように構成された計量枡１の組立手順について説明する。
【００２８】
まず、図２の展開図にしたがってコートボールを打ち抜くとともに裏面が上面を向くように反転させた後、正面板２および背面板４に対して底面板７，７を折り目ｅ，ｅに沿ってそれぞれ谷折りするとともに、左右の側面板３，５に対して底フラップ８，８を折り目ｆ，ｆに沿ってそれぞれ谷折りし、さらに、各底面板７に対して糊代９，９を折り目ｇ，ｇに沿って谷折りする。この際、切れ目ｈに対応する偏平な略Ｕ字状の部分が各底面板７および各底フラップ８の下端縁から突出する。
【００２９】
次いで、谷折りされた糊代９，９のうち、正面板２側に折り返された糊代９の裏面に接着剤を塗布し（図３参照）、右側面板３に対して正面板２を折り目ａに沿って谷折りし、右側面板３の裏面に折り返されている隣接する底フラップ８に糊代９を貼着する。この後、背面板４側に折り返された糊代９の裏面に接着剤を塗布するとともに、糊代６の表面に接着剤を塗布し（図４参照）、背面板４に対して左側面板５を折り目ｃに沿って谷折りし、左側面板５の裏面に折り返されている隣接する底面フラップ８を糊代９に貼着するとともに、左側面板５の裏面側端縁部を糊代６に貼着する（図５参照）。
【００３０】
このように、偏平に組み立てられた計量枡１は、図６に示すように、予め計量された設定量の米が充填されているプラスチックフィルム製の包装袋、具体的には、表面および裏面の２枚のプラスチックフィルムおよびこれらのフィルムの下部に内側に折り返した底面プラスチックフィルムをヒートシールして形成されたスタンディングパウチＢに底板１０とともに収容されてスーパーなどに出荷される。この際、計量枡１は、偏平に組み立てられているため、スタンディングパウチＢに場所をとることなく収容することができる。
【００３１】
袋詰めされた米を購入した消費者が米を炊く場合には、スタンディングパウチＢの上縁部を切り口ｂ１に沿って切断した後、チャックｂ２を押し開いて折り畳まれた計量枡１および底板１０を取り出す。そして、取り出した計量枡１の折り目ａ，ｃを把握し、左側面板５が背面板４に対して折り目ｃに沿って、また、正面板２が右側面板３に対して折り目ａに沿ってそれぞれ立ち上がるように、折り目ａ，ｃ間の間隔が縮まる方向に押圧すればよい。
【００３２】
このとき、糊代９を介して一体に貼着された一対の底面板７および底フラップ８は、互いに底面板７が相手側の底フラップ８の上に重なって卍状に組み合わされるとともに、底面板７，７が底面板７と糊代９とによって折り目ｇに形成された交点ｘにおいて係合する。したがって、一体に貼着された一対の底面板７および底フラップ８は、互いに係合することによって離脱が防止されて計量枡１の底面を形成する。この結果、正面板２、左右の側面板３，５および背面板４、一対の底面板７および底フラップ８によって計量枡１を立体形状に形成することができるとともに、その立体形状を保持することができる（図１参照）。
【００３３】
次いで、計量枡１の内部に底板１０を押し込み、底板１０を撓ませつつ各突出部１０１を、切れ目ｈによって正面板２、左右の側面板３，５および背面板４の各下端縁部に形成された偏平な略逆Ｕ字状の開口部にそれぞれ差し込むことにより、計量枡１を立体形状に確実に保持することができる。すなわち、一体に貼着された一対の底面板７および底フラップ８の係合状態が解除されて浮き上がり、計量枡１が偏平に折り畳まれた状態に戻ることを防止することができる。また、底板１０によって計量枡１の平坦な底面が形成されるため、米を正確に計量することができるとともに、計量した米が漏出することを防止できる。
【００３４】
この結果、立体形状に形成された計量枡１を利用して袋詰めされた米を１合単位で計量して必要量だけ取り出すことができる。
【００３５】
袋詰めされた米を使い切った場合は、計量枡１から底板１０を取り出した後、計量枡１の底面を形成する一体に貼着された一対の底面板７および底フラップ８を下面側から上方に向けて押し上げることにより、底面板７，７の係合部ｘにおける係合状態を解除することができ、図５に示したように、正面板２と右側面板３および左側面板５と背面板４とがそれぞれ重なるように偏平に折り畳むことができる。このため、かさばることなく一般ごみとして廃棄することができる。
【００３６】
なお、前述した実施形態においては、係合部を底面板７と糊代９との交点に形成したが、図７に示すように、底面板７の一方の脚に糊代９以外に係止片７１を折り目ｇ’を介して連設し、底面板７と係止片７１との折り目ｇ’上の交点ｘを計量枡１の底面の中心に位置させて係合部としてもよい。この係止片７１は、図８に示すように、相手側の底面板７の上に延設されることにより、計量枡１の立体形状をより確実に保持することができる。計量枡１を偏平に折り畳む際は、係止片７１を折り目ｇ’に沿って立ち上げるとともに、各係止片７１が連設された底面板７に接するように折り畳むことにより（図９参照）、相手側の底面板７に対する延設状態を解消することができ、その後、前述したように、計量枡１の底面を形成する一体に貼着された一対の底面板７および底フラップ８を下面側から上方に向けて押し上げることにより、底面板７，７の係合部ｘにおける係合状態を解除して偏平に折り畳むことができる。
【００３７】
また、前述した実施形態においては、１合を計量する計量枡を例示したが、必ずしも１合に限定するものではない。それに伴って、または、１合を計量する計量枡１であっても、正面板２、左右の側面板３，５および背面板４によって区画される形状を正方形以外の長方形で形成することもできる。そして、底面を長方形で形成する場合においても、係合部は、その長方形の中心に位置するように形成すればよい。
【００３８】
さらに、米以外に麦、粟、豆、黍、稗などの穀物を計量するときにも使用することができる。
【産業上の利用可能性】
【００３９】
以上のように本発明によれば、袋詰めされた米などを正確に計量して必要量だけ取り出すことができることから、炊飯器の目盛に合わせて水加減を調整することによって米を美味しく炊飯することができ、米の消費拡大を図ることができる。
【図面の簡単な説明】
【００４０】
【図１】本発明の計量枡の一実施形態を示す斜視図である。
【図２】図１の計量枡の展開図である。
【図３】図１の計量枡の組立工程を説明する説明図である。
【図４】図１の計量枡の組立工程を説明する説明図である。
【図５】図１の計量枡の組立工程を説明する説明図である。
【図６】本発明の袋詰め商品を説明する正面図である。
【図７】本発明の計量枡の変形例の展開図である。
【図８】図７の展開図に基づいて組み立てられた計量枡を一部破断して示す斜視図である。
【図９】図８の計量枡を偏平に折り畳む工程を説明する斜視図である。
【符号の説明】
【００４１】
１  計量枡
２  正面板
３，５  側面板
４  背面板
６，９  糊代
７  底面板
８  底フラップ
１０  底板
１０１  突出部
ｑ，ｂ，ｃ，ｄ，ｅ，ｆ，ｇ  折り目
ｈ  切れ目
ｘ  交点（係合部）
Ｂ  包装袋（スタンディングパウチ）
【図１】
2007064833.tif 000003
【図２】
2007064833.tif 000004
【図３】
2007064833.tif 000005
【図４】
2007064833.tif 000006
【図５】
2007064833.tif 000007
【図６】
2007064833.tif 000008
【図７】
2007064833.tif 000009
【図８】
2007064833.tif 000010
【図９】
2007064833.tif 000011